(57)【要約】【課題】  メダル容器収容部内にメダル容器を載置した時、少なくとも１個以上の位置決め部にてメダル容器を正規の位置に保持するため、メダル容器有無検出部で誤検出することなく正確に検出することができ、また、メダル容器の背面側にメダルが落ちることがない、メダル供給装置を提供する。【解決手段】  貯留室内に貯留したメダルを、メダル振分装置の払出し動作により、左右何れかの位置のメダル容器収容部内に載置したメダル容器に供給するメダル供給装置に於いて、メダル容器収容部内の空間部の底部に、メダル容器を保持する少なくとも１個以上の位置決め部を設けた。【選択図】      図２
2006271801.tif 000002
【特許請求の範囲】
【請求項１】
貯留室内に貯留したメダルを、メダル振分装置の払出し動作により、左右何れかの位置のメダル容器収容部内に載置したメダル容器に供給するメダル供給装置に於いて、
前記メダル容器収容部内の空間部の底部に、メダル容器を保持する少なくとも１個以上の位置決め部を設けたことを特徴とする、メダル供給装置。
【発明の詳細な説明】
【技術分野】
【０００１】
本発明は、メダル振分装置の払出し動作により、左右何れかの位置のメダル容器収容部内に載置したメダル容器に供給するメダル供給装置に関わり、特にメダル容器収容部の底部に、メダル容器を正規の位置に保持する少なくとも１個以上の位置決め部を設けたメダル供給装置に関するものである。
【背景技術】
【０００２】
昨今、スロットマシン及びメダル貸出機が配設された遊技島の端部にはメダル研磨装置が設置されている。
このメダル研磨装置は、メダルを回収し、研磨装置にて磨きながら揚送し、貯留室の下部のメダル振分装置により左右何れかの位置のメダル容器収容部内に載置したメダル容器に供給するよう構成されている。
メダル研磨装置（半自動仕様）においては、店員が手動操作（ボタン操作等）によってメダル振分装置を作動させ、左右何れかの位置のメダル容器収容部内に載置したメダル容器にメダルを供給し、店員がメダル容器を持って要求のあった顧客のスロットマシンやメダル貸出機の貯留部に補充している。
【０００３】
例えば、メダル研磨装置においてメダル振分装置により左右何れかの位置のメダル容器収容部内に載置したメダル容器に供給するように構成したものが下記の特許文献にて開示されている。
【０００４】
【特許文献１】特開２００１−２２９４２９号公報
【０００５】
ところで、メダル容器を載置するため左右の位置にはメダル容器収容部が設けられている。該メダル容器収容部は、前面を開口した略コの字状で且つメダル容器の幅や奥行き、高さより若干広い空間部から形成されているため、メダル容器が載置し易くなっている。
また、メダル容器収容部には、背面側に導通する２本の突出体から成る投入量検出部が設けられ、この突出体に供給されたメダルが導通することにより貯留量（上限、下限の両方）を検出するように成し、検出した時点でメダル振分装置の作動が停止する。
さらに、メダル容器収容部の背面下部側には、メダル容器が正規の位置に載置（メダル容器有）されているか、載置（メダル容器無）されていないかを検出するためのメダル容器有無検出部が設けられている。該メダル容器有無検出部にてメダル容器を検出しない時や正規の位置でない時は、メダル振分装置が作動しない。
【０００６】
尚、このメダル容器収容部に載置するメダル容器は、前面側に把手が設けられ、背面側には、上述した２本の突出体が貫通するよう２箇所の位置に穴が設けられている。
【発明の開示】
【発明が解決しようとする課題】
【０００７】
しかしながら、メダル容器収容部は、上述したようにメダル容器より若干広い空間部から形成されているため、メダル容器がガタついてしまい、その結果、メダル容器収容部内にメダル容器が有るにも拘らず、店員が操作してもメダル容器有無検出部が誤検出として判断してしまうためメダル振分装置が作動せず、要求のあった顧客に間に合わないという課題が指摘されていた。
つまり、上述したメダル振分装置は、メダル容器有無検出部で検出した時（正規の位置に載置）のみ、作動するように成っているが、メダル振分装置が作動し、供給する際のメダルの落下（払い出される勢い）等によってメダル容器の下部が動いてしまうと、メダル容器有無検出部でメダル容器無と判断（誤検出）してしまい、作動しなくなる。
そこで、メダル容器収容部の空間部をガタのないように狭くしてしまうと、メダル容器が出し入れし難くなる。
また、店員がメダル容器収容部内の正規の位置にメダル容器を載置しない時やメダル振分装置から供給した際のメダルの落下による衝撃等によってメダル容器が移動し、背面側に僅かな隙間が生じると、その隙間に供給されたメダルが落ちて（零す）しまっていた。
【０００８】
本発明は、以上の点に鑑みなされたもので、メダル容器収容部内にメダル容器を載置した時、少なくとも１個以上の位置決め部にてメダル容器を正規の位置に保持するため、メダル容器有無検出部で誤検出することなく正確に検出することができ、また、メダル容器の背面側にメダルが落ちることがない、メダル供給装置を提供することを目的とする。
【課題を解決するための手段】
【０００９】
本発明は、貯留室内に貯留したメダルを、メダル振分装置の払出し動作により、左右何れかの位置のメダル容器収容部内に載置したメダル容器に供給するメダル供給装置に於いて、
前記メダル容器収容部内の底面部に、メダル容器を保持する少なくとも１個以上の位置決め部を設けたことによって達成される。
【発明の効果】
【００１０】
本発明の構成によれば、メダル容器収容部内の底部にメダル容器を載置した時、位置決め部によってメダル容器をガタつかないように正規の位置に保持するため、メダル容器有無検出部が誤検出することなく検出し、メダル振分装置を作動させることでメダル容器に供給することが出来、要求のあった顧客に素早く補充することが出来、指摘されていた課題が解決される。
また、位置決め部によってメダル容器が正規の位置に保持されるため、背面側に隙間が生じることなく、供給するメダルが落ちる（零れる）ことがなくなった。
【発明を実施するための最良の形態】
【００１１】
以下、図面に示した実施形態を詳細に説明する。図１は本発明のメダル供給装置が装着されているメダル研磨装置を示す正面図である。
【実施例１】
【００１２】
図１に示すようにメダル研磨装置１は、メダルを下方の貯留室内（不図示）に回収し、研磨装置（不図示）にて磨きながら揚送し、上方の貯留室（不図示）の下部のメダル振分装置３により左右何れかの位置のメダル容器収容部６内に載置したメダル容器１５にメダルを供給するよう大略構成されている。
【００１３】
次に、メダル容器収容部の構成について説明する。図２は第一実施形態の位置決め部を示し、メダル容器収容部（メダル容器無）の状態を示す斜視図であり、図３は同状態の要部を示す側面図である。
図４は第一実施形態の位置決め部を示し、メダル容器収容部（メダル容器有）の状態を示す斜視図であり、図５は同状態の要部を示す側面図である。
【００１４】
ここでのメダル容器収容部６は、上下二段の長方形状から成り、下部容器収容部７の空間部７ａ、（スペース）と、上部容器収容部８の空間部８ａ、（スペース）とを備えている。該空間部７ａ（８ａ）は、メダル容器１５を載置できるよう前面を開口した略コの字状で且つメダル容器の幅や奥行き、高さより若干幅広く形成されている。
下部容器収容部７の位置の空間部７ａに、メダル容器１５を載置し、操作部９を操作するとメダル振分装置３が作動し、メダルが供給されることになる。上部容器収容部８の位置の空間部８ａは、予備用として使用するメダル容器を載置しておくためのものである。
【００１５】
メダル容器収容部６の中央付近の位置には、メダル振分装置３を作動させるための操作部９（操作ボタン）が設けられている。該操作ボタン９の点灯時（メダル容器有と判断）供給が出来、操作ボタン９の消灯（メダル容器無と判断）時は供給が出来ない。
【００１６】
メダル容器収容部６の下部容器収容部７の空間部７ａの背面側には、導通する２本の突出体から成る投入量検出部７ｄ（例えば、導通センサー）が設けられ、この突出体に供給されたメダルが導通することにより貯留量（上限、下限の両方）を検出するように成し、検出した時点でメダル振分装置３の作動が停止する。
また、メダル容器収容部６の下部容器収容部７の空間部７ａの背面下部側には、メダル容器１５が正規の位置に載置（メダル容器有）されているか、載置（メダル容器無）されていないかを検出するためのメダル容器有無検出部７ｅ（例えば、近接センサー）が設けられている。該メダル容器有無検出部７ｅにてメダル容器１５を検出しない時や正規の位置でない時は、メダル振分装置３が作動しない。
尚、このメダル容器収容部６に載置するメダル容器１５は、前面側に把手が設けられ、背面側には、上述した２本の突出体が貫通するよう２箇所の位置に穴（不図示）が設けられている。
【００１７】
第一実施形態の位置決め部１０（第１位置決め部）について説明する。
図２に示すように、下部容器収容部７の空間部７ａの底部の前面７ｃ（入口側）の底面７ｂには、載置したメダル容器１５を正規の位置に保持するための凸状の位置決め部１０が１個設けられている。
ここでの位置決め部１０は、例えば別部材の薄い板状から成り、前面７ｃの底面７ｂに取付（溶着）けられている。位置決め部１０とは、メダル容器１５を載置した時、正規の位置で動かないように位置決めするためのものである。つまり、空間部７ａの背面下部側に設けたメダル容器有無検出部７ｅが誤検出しないように取り付けられている。尚、ここでは底部の中央付近に１個取り付けたが、間隔を空けて複数個取り付けても良い。
【００１８】
第一実施形態の作用（動作）について説明する。
図４及び図５に示すように、メダル容器収容部６の下部容器収容部７の空間部７ａに、メダル容器１５を載置した時、凸状の位置決め部１０にてメダル容器１５を正規の位置に保持するため、メダル容器有無検出部７ｅが誤検出することなく検出し、メダル振分装置３を作動させて、メダル容器１５に供給することが出来、背面にメダルを零すことがない。
加えて、位置決め部１０は、薄い板状のものを取り付けているため、空間部７ａにメダル容器１５を出し入れするときに邪魔にならない。
【００１９】
第二実施形態の位置決め部２０（第２位置決め部）について説明する。
図６に示すように、下部容器収容部７の空間部７ａの底部の前面７ｃ（入口側）の底面７ｂには、載置したメダル容器１５を正規の位置に保持するための凸状の位置決め部２０が１個設けられている。
ここでの位置決め部２０は、例えば別部材の出没自在の凸部状から成り、前面７ｃの底面７ｂに取付（嵌着）けられている。ここでの保持部材２０は、弾性材により出没自在から成していて、常時僅かに突出しているが当接すると付勢力に反してへこむように可変するものである。位置決め部２０とは、メダル容器１５を載置した時、正規の位置で動かないように位置決めするためのものである。つまり、空間部７ａの背面下部側に設けたメダル容器有無検出部７ｅが誤検出しないように取り付けられている。尚、ここでは底部の中央付近に１個取り付けたが、間隔を空けて複数個取り付けても良い。
【００２０】
第二実施形態の作用（動作）について説明する。
図６及び図７に示すように、メダル容器収容部６の下部容器収容部７の空間部７ａの底部にメダル容器１５を載置した時、凸状の位置決め部２０にてメダル容器１５を正規の位置に保持するため、メダル容器有無検出部７ｅが誤検出することなく検出し、メダル振分装置３を作動させて、メダル容器１５に供給することが出来、背面にメダルを零すことがない。
加えて、位置決め部２０は、出没自在の凸部状のものを取り付けているため、下段の空間部７ａにメダル容器１５を出し入れするときに邪魔にならない。
【００２１】
第三実施形態の位置決め部３０（第３位置決め部）について説明する。尚、第一実施形態及び第二実施形態と同じ構成（符号）については、ここでの説明を省略する。
上述した位置決め部１０及び位置決め部２０の構成は、底部の前面７ｃの底面７ｂに別部材のものを少なくとも１個取付けた説明としたが、この構成に限定されるものでない。
例えば、図８に示すように別部材のものでなく、底部の底面７ｂそのものの底面板材を僅かに凸状（ダボ出し）に突設して形成したものや、メダル容器１５が載置する位置を凹状にへこまして形成したものであっても良い。
上記した第三実施形態の位置決め部３０であっても、メダル容器１５を載置した時、正規の位置で動かないように位置決めすることが出来、背面にメダルを零すことがない。
【００２２】
第四実施形態の位置決め部４０（第４位置決め部）について説明する。尚、第一実施形態及び第二実施形態と同じ構成（符号）については、ここでの説明を省略する。
上述した位置決め部１０及び位置決め部２０と、位置決め部３０の位置決め部の構成は、底部の前面７ｃの底面７ｂに少なくとも１個取付けた説明としたが、これら構成（前面の位置）に限定されるものでなく、底部の底面であれば、どこの位置、複数個であっても良い。
例えば、図９に示すように底面７ｂの中央部位を僅かに凸状に突設して形成したものや、凹状にへこまして形成したものであっても良い（不図示）。
尚、この底面７ｂの中央部位を凸状に突設して形成した時は、上述したメダル容器１５でなく、底面７ｂの中央部位を凹状に形成した専用のメダル容器１５ａを採用することになる（図９参照）。同様に底面の中央部位を凹状にへこまして形成した時は、上述したメダル容器でなく、底面の中央部位を凸状に形成した専用のメダル容器を採用することになる（不図示）。
上記した第四実施形態の位置決め部４０であっても、メダル容器１５ａを載置した時、正規の位置で動かないように位置決めすることが出来、背面にメダルを零すことがない。
【図面の簡単な説明】
【００２３】
【図１】メダル供給装置が装着されているメダル研磨装置を示す正面図である。
【図２】第一実施形態の位置決め部を示し、メダル容器収容部（メダル容器無）の状態を示す斜視図である。
【図３】同上、要部を示す側面図である。
【図４】第一実施形態の位置決め部を示し、メダル容器収容部（メダル容器有）の状態を示す斜視図である。
【図５】同上、要部を示す側面図である。
【図６】第二実施形態の位置決め部を示し、メダル容器収容部（メダル容器無）の状態を示す斜視図である。
【図７】第二実施形態の位置決め部を示し、メダル容器収容部（メダル容器有）の状態を示す斜視図である。
【図８】第三実施形態の位置決め部を示し、メダル容器収容部（メダル容器有）の状態を示す側面図である。
【図９】第四実施形態の位置決め部を示し、メダル容器収容部（メダル容器有）の状態を示す側面図である。
【符号の説明】
【００２４】
１    メダル研磨装置
３    メダル振分装置
５    メダル供給装置
６    メダル容器収容部
７    下部容器収容部
７ａ  空間部
７ｂ  底面
７ｃ  前面
７ｅ  容器有無検出部
８    上部容器収容部
８ａ  空間部
１０  位置決め部（第一実施形態）
１５  メダル容器
２０  位置決め部（第二実施形態）
３０  位置決め部（第三実施形態）
４０  位置決め部（第四実施形態）
【図１】
2006271801.tif 000003
【図２】
2006271801.tif 000004
【図３】
2006271801.tif 000005
【図４】
2006271801.tif 000006
【図５】
2006271801.tif 000007
【図６】
2006271801.tif 000008
【図７】
2006271801.tif 000009
【図８】
2006271801.tif 000010
【図９】
2006271801.tif 000011